(57)【特許請求の範囲】
【請求項１】
水を流す長尺凹状の溝部材と、前記溝部材の凹面上方部を覆う蓋部材と、を有する排水処理部材に取付けられる排水ホース取付具において、
排水ホースが接続される接続部と、前記接続部に連通する貫通孔が形成され且つ前記溝部材の凹面に設置される本体部と、を有し、
前記本体部は、前記貫通孔を基準にして、前記溝部材の長手方向一方側に向かって延び且つ上面に蓋部材が被せられる第１延出部と、前記溝部材の他方側に向かって延び且つ上面に前記蓋部材が被せられる第２延出部と、を有し、
前記第１延出部の下面には、第１延出部の一方側端から前記貫通孔に連通された第１通水部が形成されており、
前記第２延出部の下面には、第２延出部の中途部から前記貫通孔に連通された第２通水部が形成されていることを特徴とする排水処理部材用の排水ホース取付具。
【請求項２】
前記第１延出部及び第２延出部の少なくとも何れか一方の上面には、前記蓋部材の端面が接し得る段部が形成されている請求項１に記載の排水処理部材用の排水ホース取付具。
【請求項３】
前記第２延出部の上面に、前記蓋部材の端面が接し得る第２段部が形成されており、
前記第２通水部が、前記第２段部に対応する位置と第２延出部の他方側端との間から前記貫通孔に連通されている請求項１に記載の排水処理部材用の排水ホース取付具。
【請求項４】
前記第１延出部の高さが、前記第２通水部の高さ以下である請求項１に記載の排水処理部材用の排水ホース取付具。
【請求項５】
前記本体部には、前記溝部材の側壁に形成された嵌入用溝に嵌入可能な舌状片部が延設されている請求項１〜４のいずれかに記載の排水処理部材用の排水ホース取付具。
【請求項６】
床面に敷設され且つ水を流す長尺凹状の溝部材と、前記溝部材の凹面上方部を覆う蓋部材であって、一方の側端が前記溝部材に連結され且つ他方の側端が前記溝部材の側壁に形成された嵌入用溝に嵌入された蓋部材と、を有する排水処理部材に、
請求項１に記載の排水ホース取付具を少なくとも２個取付ける方法において、
前記２個の排水ホース取付具のうち、第１排水ホース取付具の第２延出部の一部分を切除して、その切除端面から第２通水部を開口させる工程（Ａ−１）、
前記蓋部材の他方の側端を嵌入用溝から外し、その長手方向中途部において蓋部材の２つの部分を切除して第１切除部分及び第２切除部分を形成し、この第１切除部分及び第２切除部分において前記蓋部材を第１蓋部、第２蓋部及び第３蓋部に分割する工程（Ｂ−１）、
前記第１切除部分から前記第１排水ホース取付具の接続部が突出するように位置合わせすると共に、第１排水ホース取付具の第１延出部を溝部材の長手方向一方側に向け、且つ第１排水ホース取付具の第２延出部を溝部材の長手方向他方側に向けた状態で、前記第１排水ホース取付具の本体部を前記溝部材の凹面に載せる工程（Ｃ−１）、
前記第２切除部分から前記第２排水ホース取付具の接続部が突出するように位置合わせすると共に、第２排水ホース取付具の第１延出部を溝部材の長手方向一方側に向け、且つ第２排水ホース取付具の第２延出部を溝部材の長手方向他方側に向けると共に、前記第１排水ホース取付具の切除端面に、第２排水ホース取付具の第１延出部の一方側端を接合した状態で、前記第２排水ホース取付具の本体部を前記溝部材の凹面に載せる工程（Ｄ−１）、
前記第１蓋部を第１排水ホース取付具の第１延出部の上面に被せ、前記第２蓋部を第１排水ホース取付具の第２延出部の上面及び第２排水ホース取付具の第１延出部の上面に被せ、前記第３蓋部を第２排水ホース取付具の第２延出部の上面に被せる工程（Ｅ−１）、
を含むことを特徴とする排水ホース取付具の取付方法。
【請求項７】
床面に敷設され且つ水を流す長尺凹状の溝部材と、前記溝部材の凹面上方部を覆う蓋部材であって、一方の側端が前記溝部材に連結され且つ他方の側端が前記溝部材の側壁に形成された嵌入用溝に嵌入された蓋部材と、を有する排水処理部材に、
請求項４に記載の排水ホース取付具を少なくとも２個取付ける方法において、
前記２個の排水ホース取付具のうち、第１排水ホース取付具の第２延出部の一部分を切除して、その切除端面から第２通水部を開口させる工程（Ａ−２）、
前記蓋部材の他方の側端を嵌入用溝から外し、その長手方向中途部において蓋部材の１つの部分を切除して切除部分を形成し、この切除部分において前記蓋部材を第１蓋部及び第２蓋部に分割する工程（Ｂ−２）、
前記切除部分から前記第１排水ホース取付具の接続部が突出するように位置合わせすると共に、第１排水ホース取付具の第１延出部を溝部材の長手方向一方側に向け、且つ第１排水ホース取付具の第２延出部を溝部材の長手方向他方側に向けた状態で、前記第１排水ホース取付具の本体部を前記溝部材の凹面に載せる工程（Ｃ−２）、
前記切除部分から前記第２排水ホース取付具の接続部が突出するように位置合わせすると共に、第２排水ホース取付具の第１延出部を溝部材の長手方向一方側に向け、且つ第２排水ホース取付具の第２延出部を溝部材の長手方向他方側に向けると共に、前記第１排水ホース取付具の切除端面から開口された第２通水部内に、第２排水ホース取付具の第１延出部を挿入した状態で、前記第２排水ホース取付具の本体部を前記溝部材の凹面に載せる工程（Ｄ−２）、
前記第１蓋部を第１排水ホース取付具の第１延出部の上面に被せ、前記第２蓋部を第２排水ホース取付具の第２延出部の上面に被せる工程（Ｅ−２）、
を含むことを特徴とする排水ホース取付具の取付方法。
【発明の詳細な説明】
【技術分野】
【０００１】
本発明は、排水ホースから出る水を所定の箇所へ導く排水処理部材に用いられる排水ホース取付具、及びその取付方法に関する。
【背景技術】
【０００２】
空調機などの排水ホースから出る水が、マンションの共同廊下やベランダ、その他構造物の下地などの各種床面上を流れると、該床面に汚れやシミが生じる。
これを防止するため、従来、排水ホースから出る水を雨樋や側溝などの所定の箇所へ導く排水処理構造が、床面に施工されている。
【０００３】
上記排水処理構造は、床面に細長い凹状の溝部材が敷設されたものであり、この溝部材の端部に排水ホースを取付けることにより、水を凹状の溝部材に従って雨樋などの所定の箇所へ導くことができる。
かかる溝部材の凹面上方部を蓋部材で覆い、溝部材に排水ホース取付具を取り付けた排水処理構造も知られている（特許文献１）。
【０００４】
具体的には、特許文献１には、長手方向に延びた底部と両側部で構成された排水路を有する通水部材と、この両側部に形成された溝部にスライド挿入される蓋部材と、を有するドレイン排水溝部材が開示されている。この通水部材の側部の溝部に、ホース差込孔部と板状の取付部を有するドレイン連結具の該取付部の縁部をスライド挿入することにより、ドレイン排水溝部材にドレイン連結具が取り付けられる。
また、特許文献１には、２つのドレイン連結具の縁部を接合させた状態で、該２つのドレイン連結具を１つのドレイン排出溝部材に取り付けることが開示されている（同文献の［０１１３］及び図３５など）。
【特許文献１】特開２００７−１１３３５５号公報
【発明の開示】
【発明が解決しようとする課題】
【０００５】
しかしながら、上記特許文献１に開示のドレイン連結具（本発明のホースの取付具に相当）は、次のような問題点がある。
【０００６】
上記ドレイン連結具をドレイン排水溝部材に取り付けると、ドレイン連結具の取付部の下面とドレイン排水溝部材の通水部材の排水路との間に、隙間が形成される。排水ホースから出る水は、この隙間を通じて、通水部材の排水路に沿って流れるようになっている。
しかしながら、上記ドレイン連結具の取付部は、板状である。よって、取付部の下面と通水部材の排水路との間に形成される隙間は、排水路の長手方向一方側及び長手方向他方側の双方に通じている。このため、排水ホースから出る水は、排水路の長手方向一方側及び他方側の双方に流れ得る。つまり、排水ホースから出る水は、本来、ドレイン連結具を通じて、ドレイン排水溝部材の排水路の長手方向一方側に導かれ、雨樋などに流れるようにすべきところ、上記公報のドレイン連結具では、排水路の長手方向他方側へも水が流れることがある（以下、長手方向他方側へ水が流れることを、逆流という場合がある）。特に、排水ホースから出る水量が多いと、逆流が生じ易い。かかる問題を解決する方法としては、前記隙間の他方側端を塞ぐことが考えられるが（例えば、隙間の他方側端に栓などを取り付ける）、かかる方法では、ドレイン連結具の取付作業が煩雑となる。
【０００７】
また、上記特許文献１では、２つのドレイン連結具を取り付けたとき、両者を接合しているだけなので、その接合面の間から水が浸み出す虞がある。さらに、前記接合面の間から排水路内に粉塵が入り込み、排水路内が早期に目詰まりする虞がある。この問題を解決する方法としては、２つのドレイン連結具の接合面を溶着又は接着することが考えられるが、かかる方法では、ドレイン連結具の取付作業が煩雑となる。
【０００８】
本発明の第１の目的は、排水処理部材に簡易に取り付けることができ、排水ホースから出る水を排水処理部材の長手方向一方側に導くことができる排水ホース取付具を提供することである。
また、本発明の第２の目的は、水の滲み出しなどを防止でき、且つ、２個以上を簡易に取り付けることができる排水処理部材用の排水ホース取付具、及び該排水ホース取付具の取付方法を提供することである。
【課題を解決するための手段】
【０００９】
本発明の排水処理部材用の排水ホース取付具は、水を流す長尺凹状の溝部材と、前記溝部材の凹面上方部を覆う蓋部材と、を有する排水処理部材に取付けられる排水ホース取付具において、排水ホースが接続される接続部と、前記接続部に連通する貫通孔が形成され且つ前記溝部材の凹面に設置される本体部と、を有し、前記本体部は、前記貫通孔を基準にして、前記溝部材の長手方向一方側に向かって延び且つ上面に蓋部材が被せられる第１延出部と、前記溝部材の他方側に向かって延び且つ上面に前記蓋部材が被せられる第２延出部と、を有し、前記第１延出部の下面には、第１延出部の一方側端から前記貫通孔に連通された第１通水部が形成されており、前記第２延出部の下面には、第２延出部の中途部から前記貫通孔に連通された第２通水部が形成されていることを特徴とする。
【００１０】
１つの好ましい態様では、前記第１延出部及び第２延出部の少なくとも何れか一方の上面には、前記蓋部材の端面が接し得る段部が形成されている。
【００１１】
他の好ましい態様では、前記第２延出部の上面に、前記蓋部材の端面が接し得る第２段部が形成されており、前記第２通水部が、前記第２段部に対応する位置と第２延出部の他方側端との間から前記貫通孔に連通されている。
【００１２】
他の好ましい態様では、前記第１延出部の高さが、前記第２通水部の高さ以下とされている。
他の好ましい態様では、前記本体部には、前記溝部材の側壁に形成された嵌入用溝に嵌入可能な舌状片部が延設されている。
【００１３】
本発明の別の局面によれば、上記排水ホース取付具の取付方法を提供する。
本発明の１つの排水ホース取付具の取付方法は、床面に敷設され且つ水を流す長尺凹状の溝部材と、前記溝部材の凹面上方部を覆う蓋部材であって、一方の側端が前記溝部材に連結され且つ他方の側端が前記溝部材の側壁に形成された嵌入用溝に嵌入された蓋部材と、を有する排水処理部材に、上記排水ホース取付具を少なくとも２個取付ける方法において、前記２個の排水ホース取付具のうち、第１排水ホース取付具の第２延出部の一部分を切除して、その切除端面から第２通水部を開口させる工程（Ａ−１）、前記蓋部材の他方の側端を嵌入用溝から外し、その長手方向中途部において蓋部材の２つの部分を切除して第１切除部分及び第２切除部分を形成し、この第１切除部分及び第２切除部分において前記蓋部材を第１蓋部、第２蓋部及び第３蓋部に分割する工程（Ｂ−１）、前記第１切除部分から前記第１排水ホース取付具の接続部が突出するように位置合わせすると共に、第１排水ホース取付具の第１延出部を溝部材の長手方向一方側に向け、且つ第１排水ホース取付具の第２延出部を溝部材の長手方向他方側に向けた状態で、前記第１排水ホース取付具の本体部を前記溝部材の凹面に載せる工程（Ｃ−１）、前記第２切除部分から前記第２排水ホース取付具の接続部が突出するように位置合わせすると共に、第２排水ホース取付具の第１延出部を溝部材の長手方向一方側に向け、且つ第２排水ホース取付具の第２延出部を溝部材の長手方向他方側に向けると共に、前記第１排水ホース取付具の切除端面に、第２排水ホース取付具の第１延出部の一方側端を接合した状態で、前記第２排水ホース取付具の本体部を前記溝部材の凹面に載せる工程（Ｄ−１）、前記第１蓋部を第１排水ホース取付具の第１延出部の上面に被せ、前記第２蓋部を第１排水ホース取付具の第２延出部の上面及び第２排水ホース取付具の第１延出部の上面に被せ、前記第３蓋部を第２排水ホース取付具の第２延出部の上面に被せる工程（Ｅ−１）、を含むことを特徴とする。
【００１４】
本発明の他の排水ホース取付具の取付方法は、床面に敷設され且つ水を流す長尺凹状の溝部材と、前記溝部材の凹面上方部を覆う蓋部材であって、一方の側端が前記溝部材に連結され且つ他方の側端が前記溝部材の側壁に形成された嵌入用溝に嵌入された蓋部材と、を有する排水処理部材に、上記排水ホース取付具を少なくとも２個取付ける方法において、前記２個の排水ホース取付具のうち、第１排水ホース取付具の第２延出部の一部分を切除して、その切除端面から第２通水部を開口させる工程（Ａ−２）、前記蓋部材の他方の側端を嵌入用溝から外し、その長手方向中途部において蓋部材の１つの部分を切除して切除部分を形成し、この切除部分において前記蓋部材を第１蓋部及び第２蓋部に分割する工程（Ｂ−２）、前記切除部分から前記第１排水ホース取付具の接続部が突出するように位置合わせすると共に、第１排水ホース取付具の第１延出部を溝部材の長手方向一方側に向け、且つ第１排水ホース取付具の第２延出部を溝部材の長手方向他方側に向けた状態で、前記第１排水ホース取付具の本体部を前記溝部材の凹面に載せる工程（Ｃ−２）、前記切除部分から前記第２排水ホース取付具の接続部が突出するように位置合わせすると共に、第２排水ホース取付具の第１延出部を溝部材の長手方向一方側に向け、且つ第２排水ホース取付具の第２延出部を溝部材の長手方向他方側に向けると共に、前記第１排水ホース取付具の切除端面から開口された第２通水部内に、第２排水ホース取付具の第１延出部を挿入した状態で、前記第２排水ホース取付具の本体部を前記溝部材の凹面に載せる工程（Ｄ−２）、前記第１蓋部を第１排水ホース取付具の第１延出部の上面に被せ、前記第２蓋部を第２排水ホース取付具の第２延出部の上面に被せる工程（Ｅ−２）、を含むことを特徴とする。
【発明の効果】
【００１５】
本発明に係る排水ホース取付具は、第１通水部が第１延出部の一方側端から貫通孔に連通されているので、排水ホースから出る水を、貫通孔から第１通水部を通じて、排水処理部材の長手方向一方側に導くことができる。また、本発明に係る排水ホース取付具は、第２通水部が第２延出部の中途部から前記貫通孔に連通されているので、排水ホースから出る水が、第２通水部を通じて長手方向他方側へ流れても、該水を第２延出部の中途部で堰き止めて、水の逆流を防止できる。
本発明に係る排水ホース取付具は、排水処理部材に簡易に取り付けることができ、さらに、従来のように隙間を塞ぐ必要もなく、排水処理部材に取り付けるだけで水の逆流を防止できる。
【００１６】
本発明の排水ホース取付具の取付方法によれば、２個以上の排水ホース取付具の接合部分から水が滲み出たり、或いは、粉塵などが入り込むことを防止できる。
さらに、本発明の排水ホース取付具の取付方法によれば、２個以上の排水ホース取付具を、接着剤による接着や熱溶着などの煩雑で且つ再利用不可能な手段を用いずに、排水処理部材に取り付けることもできるので、これらを簡易に取り付け、及び、取り外すことができる。
【発明を実施するための最良の形態】
【００１７】
本発明の実施形態を図面を参照しつつ説明する。
ただし、本明細書において、用語の接頭語として「第１」「第２」などを付している場合があるが、該接頭語は同様の用語を区別するために付しているのであって、その優劣や順序などを意味するわけではない。
【００１８】
＜第１実施形態＞
図１及び図２において、１は、床面９１に敷設された凹状の溝部材２と該溝部材２の凹面上方部を覆う開閉可能な蓋部材３とを有する排水処理部材５と、該排水処理部材５に取付けられた排水ホース取付具６と、を有する排水処理構造を示す。
図示例では、１つの排水処理部材５に、２個の排水ホース取付具６が並べて取り付けられている。この２個の排水ホース取付具６のうち、一方の排水ホース取付具６を特に指す場合には「第１排水ホース取付具６ａ」といい、他方を「第２排水ホース取付具６ｂ」といい、第１及び第２排水ホース取付具を総称する場合には排水ホース取付具６という。
【００１９】
床面９１は、例えば、マンションなどの構造物の共同廊下などが例示できるが、これに限定されるわけではない。
上記排水処理部材５は、床面９１を横切って敷設されている。該排水処理部材の端部は、例えば、構造物の壁面９２から排水路９３（雨樋や側溝等）に至っている。
なお、９４は、空調機の室外機を示し、９５は、前記空調機の水を流すための第１排水ホースを示し、９７は、図示した空調機とは異なる空調機の水を流すため、又は、空調機以外の水を流すための第２排水ホースを示す。
９６は、溝部材２が設けられた床面以外の、床面上に敷設された外装材を示す。
以下、本発明の排水ホース取付具及びその取付方法の各実施形態をそれぞれ説明する。
【００２０】
（第１実施形態の排水ホース取付具について）
排水処理部材５の溝部材２は、図３にも示すように、断面視凹状に形成され、さらに、平面視細長い長尺状に形成されている。
なお、本明細書において、長尺状とは、直交する２つの方向のうち、一方向が他方向に比して明らかに長い形状をいう。以下、この長い方向を「長手方向」といい、該長手方向と面内で直交する方向を「幅方向」という。
【００２１】
溝部材２は、図３に示すように、下面が床面９１に接着され且つ上面が水の通路となる底壁２１と、該底壁２１の幅方向両側において上方に立設された両側壁２２，２３と、を有する。底壁２１及び側壁２２，２３は、長手方向に延び、該底壁２１と側壁２２，２３によって溝部材２の長手方向に延びる凹面２９が形成されている。
溝部材２は、その長手方向一方側端が構造物の排水路９３の近傍に位置するようにして、床面９１上に、接着剤を介して、固着されている。
【００２２】
溝部材２の凹面２９の幅方向長さＷ（両側壁２２，２３の内側間の長さ）は、特に限定されず、通常、１ｃｍ〜１０ｃｍ程度、好ましくは２ｃｍ〜５ｃｍ程度である。側壁２２，２３の高さ（上下方向長さ）は、特に限定されないが、余りに高いと歩行時に排水処理部材５が邪魔になることがあるので、通常、１ｍｍ〜１０ｍｍ程度、好ましくは２ｍｍ〜５ｍｍ程度に形成される。
【００２３】
溝部材２の両側壁２２，２３の上端部外側には、側壁２２，２３の外面に対して略直交する方向へ延びる重合片部２４が延設されている。重合片部２４は、溝部材２の長手方向全体に亘って形成されている。この重合片部２４は、床面９１に敷設された外装材９６の端部上面に被さる部分である。重合片部２４は、溝部材２と外装材９６の間に生じる目地を隠し且つ両者間の不陸を解消するために設けられている。
【００２４】
また、溝部材２の一方の側壁２２には、蓋部材３の一方の側端３２が連結されている。溝部材２の他方の側壁２３の上端部内側には、嵌入用溝２５が形成されている。該嵌入用溝２５は、側壁２３の内面に対して略直交する方向へ凹んだ溝（例えば、断面視略Ｖ字状に凹んだ溝）であり、溝部材２の長手方向全体に亘って形成されている。この嵌入用溝２５には、蓋部材３の他方の側端３３が嵌入脱可能である。
【００２５】
蓋部材３は、溝部材２の凹面上方部を覆う長尺状の板部材であり、溝部材２の長手方向全体に亘って形成されている。該蓋部材３の一方の側端３２は、溝部材２の一方の側壁２２の上端部内側に一体的に連結されており、蓋部材３の他方の側端３３は、自由端とされている。
この蓋部材３の他方の側端３３は、溝部材２の嵌入用溝２５に嵌入脱可能な形状に形成されている。蓋部材３の他方の側端３３を嵌入用溝２５に嵌入することにより、蓋部材３と溝部材２の凹面２９との間に所定の隙間を有した状態で、溝部材２の凹面上方部が蓋部材３によって覆われている。なお、溝部材２の凹面２９は、排水ホースから出る水の通路となる部分である。
【００２６】
一方、図４に示すように、蓋部材３の他方の側端３３を嵌入用溝２５から外し、且つ一方の側端３２を支点にして蓋部材３を曲げながら上方へ捲ることにより、溝部材２の凹面上方部を開放できる。このように蓋部材３を開くことにより、溝部材２の凹面２９上に溜まったゴミや水垢などを清掃することができる。
【００２７】
排水処理部材５を形成する材料は、特に限定されない。もっとも、上述のように蓋部材３を曲げながら開けることができるようにするため、排水処理部材５は、弾性を有する材料で形成されていることが好ましい。該弾性を有する材料としては、特に限定されず、軟質ポリ塩化ビニル系樹脂、軟質ポリエチレン系樹脂、熱可塑性エラストマー、各種ゴム、これらの混合材料、または、これらと他の樹脂とを混合した混合材料などが挙げられる。
また、溝部材２と蓋部材３は、通常、同一材料を用いた押出し成型法で形成できるが、溝部材２と蓋部材３を別々に成型した後、該蓋部材３の側端３２を溝部材２に接着（溶着を含む）することによって一体化させることもできる。従って、溝部材２と蓋部材３は同一材料に限られず、それぞれ異なる材料を用いて形成することもできる。
【００２８】
次に、排水ホース取付具６は、図５〜図８に示すように、排水ホースが接続される接続部７と、接続部７に連通する貫通孔８７が形成され且つ溝部材２の凹面２９上に設置される本体部８と、を有する。
具体的には、排水ホース取付具６は、本体部８の上面に、管状の接続部７が突設されている。
管状の接続部７は、その管内に排水ホースを挿入脱できる径（排水ホースの外径よりも少し大きな内径）に形成されている。該接続部７は、全体として本体部８の上面に対して傾斜して突設されている。
【００２９】
このように接続部７が傾斜状に設けられていることにより、その傾斜角に対応して接続部７の上端開口部の高さ位置が低くなる。施工場所によっては、排水ホースの下方が少し余っていることがあるが、前記のように接続部７の上端開口部の高さ位置が低ければ、少し長い排水ホースを接続部７に比較的容易に差し込むことができる。また、本体部８に対して傾斜した接続部７は、その傾斜角に応じて接続部７の突出長が長くなるので、挿入した排水ホースが外れにくくなるという利点もある。
ただし、接続部７は、本体部８の上面に対して傾斜して突設されている場合に限定されず、接続部７は、本体部８の上面に対して略直交する方向に延びて突設されていてもよい（図示せず）。
【００３０】
また、接続部７の形状は、鈍角に屈曲した屈曲部を有する管状に形成され、好ましくは、図示したように、鈍角に屈曲した屈曲部７１，７２を２箇所有する管状に形成されている。このように屈曲した管状の接続部７であれば、排水ホースを挿入したときに、接続部７の屈曲部７１，７２において排水ホースが適宜折れ曲がり、排水ホースが接続部７に係合し易くなる。このため、排水ホースが接続部７から不用意に外れることを防止できる。
ただし、接続部７の形状は、必ずしも屈曲状に限られず、例えば、真っ直ぐな管状（直管状）でもよい（図示せず）。
【００３１】
本体部８は、接続部７の下端開口部に連通する貫通孔８７と、接続部７の一端から離れる方向に延びる第１延出部８１と、接続部７の他端から離れる方向に延びる第２延出部８２と、接続部７の一側端であって、第１延出部８１の一側端及び第２延出部８２の一側端に跨って形成された舌状片部８３と、を有する。
【００３２】
第１延出部８１及び第２延出部８２は、溝部材２の凹面２９に嵌り込む平面視略矩形状に形成されている。
【００３３】
第１延出部８１及び第２延出部８２は、貫通孔８７を基準にして、相反する方向（１８０度方向）に延びている。換言すると、第１延出部８１は、本体部８を溝部材２の凹面２９に設置したときに、溝部材２の長手方向一方側に向かって延びる部分であり、第２延出部８２は、同溝部材２の長手方向他方側に向かって延びる部分である。また、本体部８を溝部材２の凹面２９に設置したとき、第１延出部８１及び第２延出部８２の上に、蓋部材３を被せることが可能である。
【００３４】
さらに、第１延出部８１の上面には、第１段部８５が形成されている。該第１段部８５は、第１延出部８１の幅方向に形成されている。第１段部８５を境界として、第１延出部８１の上面は、接続部７が突設された突設領域８１５と、蓋部材３が被せられる被覆領域８１６と、に区画されている。この被覆領域８１６は、突設領域８１５よりも、第１段部８５の高さ分だけ低くなっている。
【００３５】
同様に、第２延出部８２の上面には、第２段部８６が形成されている。該第２段部８６は、第２延出部８２の幅方向に形成されている。第２段部８６を境界として、第２延出部８２の上面は、接続部７が突設された突設領域８２５と、蓋部材３が被せられる被覆領域８２６と、に区画されている。この被覆領域８２６は、突設領域８２５よりも、第２段部８６の高さ分だけ低くなっている。
また、第１延出部８１の被覆領域８１６の上面及び第２延出部８２の被覆領域８２６の上面は、被せられる蓋部材３の下面に面接触しうる形状（例えば平坦状など）に形成されている。ここで、本明細書において、「面接触しうる形状」とは、水が滲み出ない程度に水密性を以て接する形状をいう。例えば、接触する一方が平坦状であるときに、接触する他方が平坦状である場合や、接触する一方が非平坦状であるときに、接触する他方がその非平坦状に沿って全体又は一部が接する形状である場合が含まれる。
上記第１段部８５及び第２段部８６を形成することにより、第１延出部８１の被覆領域８１６及び第２延出部８２の被覆領域８２６の上に被せた蓋部材３の端面を該段部８５，８６に当てることができる。
【００３６】
第１段部８５及び第２段部８６の高さ（上下方向長さ）は、特に限定されないが、蓋部材３の厚みと略同じであることが好ましい。第１延出部８１及び第２延出部８２の上に蓋部材３を被したときに、蓋部材３の上面と突設領域８１５，８２５の上面が略同じ高さとなるからである。
【００３７】
一方、第１延出部８１の下面には、第１延出部８１の長手方向一方側端から前記貫通孔８７に連通された第１通水部４１が形成されている。この第１通水部４１は、第１延出部８１の下面に形成された凹状部分で構成されている。
具体的には、第１延出部８１の下面には、第１延出部８１の幅方向両側部において、長手方向に延びる一対の第１長状突出壁８１１，８１１が下方に突設されている。この一対の第１長状突出壁８１１，８１１は、第１延出部８１の長手方向一方側端から貫通孔８７の側端にまで延設されている。第１長状壁８１１の下面は、溝部材２の凹面２９に面接触しうる形状に形成されている。
第１通水部４１は、一対の第１長状突出壁８１１，８１１の内側と第１延出部８１の下面とで区画された凹状部分からなる。
【００３８】
なお、第１延出部８１の下面には、第１延出部８１の幅方向中央部において、第１支持部８１２が下方に突設されている。この第１支持部８１２は、長手方向に延びる長状に突出された部分である。第１支持部８１２の突出長さ（高さ）は、第１長状突出壁８１１と同じ突出長さである。この第１支持部８１２は、第１延出部８１の上面に荷重が加わったときに、第１通水部４１が凹むことを防止するために設けられている。
【００３９】
また、第２延出部８２の下面には、第２延出部８２の長手方向中途部（第２段部８６に対応する位置と第２延出部８２の他方側端の間）から前記貫通孔８７に連通された第２通水部４２が形成されている。この第２通水部４２は、第２延出部８２の下面に形成された凹状部分で構成されている。
具体的には、第２延出部８２の下面には、第２延出部８２の幅方向両側部において、長手方向に延びる一対の第２長状突出壁８２１，８２１が下方に突設されている。この一対の第２長状突出壁８２１，８２１は、第２延出部８２の長手方向他方側端から貫通孔８７の側端にまで形成されている。第２長状突出壁８２１の下面は、溝部材２の凹面２９に面接触しうる形状に形成されている。この第２長状突出壁８２１は、上記第１長状突出壁８１１と同じ突出高さであることが好ましい。なお、第２長状突出壁８２１と第１長状突出壁８１１は、連結されている（一体化されている）。
【００４０】
さらに、第２延出部８２の下面には、第２延出部８２の長手方向他方側端において、幅方向に延びる封止突出壁８２３が下方に突設されている。封止突出壁８２３の下面は、溝部材２の凹面２９に面接触しうる形状に形成されている。
この封止突出壁８２３の突出長さ（高さ）は、第２長状突出壁８２１と同じ突出長さである。封止突出壁８２３の両側部は、一対の第２長状突出壁８２１，８２１にそれぞれ連結されている（一体化されている）。
第２通水部４２は、一対の第２長状突出壁８２１，８２１及び封止突出壁８２３の内側と第１延出部８１の下面とで区画された凹状部分である。つまり、第２通水部４２は、第２延出部８２の下面に突設された底面視略コ字状の突出壁（第２長状突出壁８２１，８２１及び封止突出壁８２３）で囲われた凹状部分からなる。
【００４１】
なお、第２延出部８２の下面にも、上記第１支持部８１２と同様な、第２支持部８２２が突設されている。該第２支持部８２２は、上記第１支持部８１２と同様に、第２延出部８２の下面の幅方向中央部において、長手方向に延びる長状突出部分で構成することができる。
【００４２】
上記本体部８を溝部材２の凹面２９に設置したときに、第１長状突出壁８１１の下面が凹面２９に面接触し、第１延出部８１の第１通水部４１と溝部材２の凹面２９との間に、長手方向一方側端から貫通孔８７にまで連通した隙間が形成される。このため、接続部７に接続された排水ホースから出る水は、貫通孔８７から前記第１通水部４１を通じて第１延出部８１の長手方向一方側端から出て、溝部材２の一方側へ流れ出ていく。
他方、上記本体部８を溝部材２の凹面２９に設置したときに、第２長状突出壁８２１の下面及び封止突出壁８２３の下面が凹面２９に面接触し、第２延出部８２の第２通水部４２と溝部材２の凹面２９との間に、封止突出壁８２３の内側から貫通孔８７にまで連通した隙間が形成される。このため、接続部７に接続された排水ホースから出る水が、貫通孔８７から前記第２通水部４２を通じて第２延出部８２の長手方向他方側へ流れても、封止突出壁８２３によって該水の流れを堰き止めることができる。よって、水が、溝部材２の長手方向他方側へ流れること（逆流すること）を防止できる。
【００４３】
また、上記第２延出部８２の上面には、薄肉部８２４が設けられている。該薄肉部８２４は、第２延出部８２の厚みが薄くなった部分である。
薄肉部８２４は、前記第２通水部４２を２つに分断するような位置において、第２延出部８２の幅方向に延びて形成されている。
具体的には、薄肉部８２４は、例えば、第２延出部８２の厚み方向に略Ｖ字状に切込まれた切込み線からなり、該切込み線は、第２延出部８２の幅方向に延設されている。この薄肉部８２４は、第２延出部８２の上面の幅方向全体に亘って形成されている。該薄肉部８２４の形成位置は、第２段部８６と封止突出壁８２３の間である。
該薄肉部８２４を利用すれば、第２延出部８２を容易に分断することができる。該薄肉部８２４にて第２延出部８２を分断すると、封止突出壁８２３が排水ホース取付具６から除去される。該封止突出壁８２３が除去された後の第２延出部８２の長手方向他方側端（切除端面）には、第２通水部４２が開口される。
【００４４】
舌状片部８３は、溝部材２の嵌入用溝２５に嵌入脱可能な形状に形成されている。好ましくは、舌状片部８３は、蓋部材３の他方の側端３３と略同じ形状に形成される。
【００４５】
上記第１延出部８１及び第２延出部８２の横長さは、特に限定されないが、これらの横長さは、溝部材２の凹面２９の横長さと略等しい長さに形成されていることが好ましい。本体部８を溝部材２の凹面２９に設置したとき、第１延出部８１及び第２延出部８２と溝部材２の両側壁２２，２３との間に隙間が生じることを防止できるからである。
また、第１延出部８１及び第２延出部８２の縦長さは、特に限定されず、適宜設計することができる。
ただし、本明細書において、横長さとは、本体部８を溝部材２の凹面２９に設置したとき、溝部材２の幅方向と平行な方向における長さをいう。縦長さとは、本体部８を溝部材２の凹面２９に設置したとき、溝部材２の長手方向と平行な方向における長さをいう。
【００４６】
排水ホース取付具６を形成する材料は、特に限定されず、比較的硬質な材料が好ましい。
排水ホース取付具６の形成材料としては、例えば、硬質ポリ塩化ビニル系樹脂などの硬質の合成樹脂、金属などが挙げられる。
【００４７】
上記排水ホース取付具６は、蓋部材３の一部分に形成された切除部分に嵌め込むことにより、排水処理部材５に取付けられる。
具体的には、図２、図９及び図１０に示すように、蓋部材３の一部分に形成された切除部分３７，３８において、本体部８（第１延出部８１及び第２延出部８２）が溝部材２の凹面２９上に設置され、且つ、舌状片部８３が溝部材２の嵌入用溝２５に嵌入されていると共に、第１延出部８１及び第２延出部８２の上に蓋部材３が被せられることによって、排水ホース取付具６が排水用処理部材５に取付けられている。
【００４８】
本発明の排水処理構造１は、１つの排水処理部材５に対して１個の排水ホース取付具６が取り付けられていてもよいし、或いは、１つの排水処理部材５に対して２個又はそれ以上（複数個）の排水ホース取付具６が取り付けられていてもよい。
排水処理部材５の施工場所は、排水ホースが１本だけであるところもあれば、排水ホースが別個に２本以上存在するところもある。施工場所によっては、例えば、室内機の排水ホース及び室外機の排水ホースの２本の排水ホースが存在したり、或いは、２台以上の空調機を有するところでは、２本以上の排水ホースが存在する。本発明の排水ホース取付具６は、２本以上の排水ホースを接続する場合に効果的である。
【００４９】
（第１実施形態の排水ホース取付具を２個設置する取付方法について）
以下、１つの排水処理部材５に２個の排水ホース取付具６を設置する場合を具体的に説明する。ただし、３個以上の排水ホース取付具６を１つの排水処理部材５に設置する場合も、２個取り付ける場合と同様にして実施できるので、その説明は省略する。
【００５０】
なお、排水ホース取付具６の設置に際して、排水処理部材５は、床面９１に敷設されていてもよいし、或いは、床面９１に敷設されていなくてもよい。排水処理部材５が床面９１に敷設されていない場合には、排水ホース取付具６を排水処理部材５に取付けた後、該排水処理部材５を床面９１に敷設すればよい。
【００５１】
・工程（Ａ−１）
工程（Ａ−１）は、排水ホース取付具６の第２延出部８２の一部分を切除して、その切除端面から第２通水部４２を開口させる工程である。
上記第１排水ホース取付具６ａの第２延出部８２を、第２通水部４２の長手方向他方側が開口するように分断する。上述の通り、第２延出部８２に形成された薄肉部８２４を利用し、これに沿って第２延出部８２を分断すれば、封止突出壁８２３が形成された部分を容易に除去できる。該封止突出壁８２を除去することにより、第１排水ホース取付具６ａの第２延出部８２の長手方向他方側端（切除端面）から第２通水部４２を開口させることができる。
【００５２】
・工程（Ｂ−１）
工程（Ｂ−１）は、第１排水ホース取付具６ａ及び第２排水ホース６ｂを設置するため、蓋部材３の長手方向中途部に、２つの切除部分を形成する工程である。
排水処理部材５の蓋部材３の他方の側端３３を、溝部材２の嵌入用溝２５から外す。外した蓋部材３の他方の側端３３を、溝部材２の他方の側壁２３の上に載せる。
【００５３】
次に、２個の排水ホース取付具を設置する２箇所を決め、蓋部材３の一部分を、カッターなどの切断具を用いて２箇所切除する。切除は、図１１に示すように、蓋部材３の他方の側端３３における長手方向に離れた２箇所の縁から、蓋部材３を幅方向に切断すると共に、蓋部材３の一方の側端３２に沿って長手方向に切断することによって実施される。従って、蓋部材３の一部分が、平面コ字状に切除される。蓋部材３の切除は、当て木や市販の物差しなどを利用し、該物差しに沿ってカッターなどの切断具を用いて実施できる。
この切除を所定間隔を開けて２箇所実施することにより、蓋部材３に、第１切除部分３７及び第２切除部分３８を形成できる。２箇所で切除された蓋部材３は、図１１に示すように、第１切除部分３７及び第２切除部分３８を基準にして、第１蓋部３ａ、第２蓋部３ｂ及び第３蓋部３ｃに分割される。
【００５４】
第１切除部分３７及び第２切除部分３８の縦長さＬ１は、排水ホース取付具６の第１段部８５から第２段部８６までの縦長さＬ２と略同じに形成することが好ましい（尚、この縦長さＬ２については、図５に図示している）。もっとも、前記縦長さＬ１は、縦長さＬ２よりも少し大きくなるように形成してもよい。
また、第２蓋部３ｂの縦長さＬ３は、第１排水ホース取付具６ａの第２延出部８２の切除端面と第２排水ホース取付具６ｂの第１延出部８１の長手方向一方側端を当接させた状態において、第１排水ホース取付具６ａの第２段部８６から第２排水ホース取付具６ｂの第１段部８５までの縦長さＬ４と略同じに形成することが好ましい（尚、この縦長さＬ４については、図９に図示している）。もっとも、第２蓋部３ｂの縦長さＬ３は、前記縦長さＬ４よりも少し短くてもよい。第２蓋部３ｂの縦長さＬ３は、第１切除部分３７及び第２切除部分３８の形成間隔を調整することによって、適宜に設定できる。
【００５５】
なお、工程（Ａ−１）及び工程（Ｂ−１）は、何れを先に実施しても良いし、両工程は、同時並行的に実施してもよい。
【００５６】
・工程（Ｃ−１）
工程（Ｃ−１）は、前記第１切除部分３７に第１排水ホース取付具６ａを嵌め込んで、第１排水ホース取付具６ａの本体部８を溝部材２の凹面２９に設置する工程である。
【００５７】
図１２に示すように、第１蓋部３ａ及び第２蓋部３ｂを上方へ捲り、第１切除部分３７を大きく拡張する。
次に、第１排水ホース取付具６ａの第１延出部８１を溝部材２の長手方向一方側に向け、且つ同第２延出部８２を溝部材２の長手方向他方側に向ける。
そして、第１排水ホース取付具６ａの接続部７が第１切除部分３７から突出するように位置合わせすると共に、第１段部８５が第１蓋部３ａの切除端面３１ａに接し且つ第２段部８６が第２蓋部３ｂの一方の切除端面３１ｂに接するように位置合わせした状態で、溝部材２の側方から第１排水ホース取付具６ａを入れ、舌状片部８３を溝部材２の嵌入用溝２５に嵌入することにより、第１排水ホース取付具６ａの本体部８を溝部材２の凹面２９に載せる。
このように舌状片部８３を嵌入用溝２５に嵌入することにより、第１排水ホース取付具６ａが溝部材２の幅方向に位置ズレすることを防止できる。
【００５８】
・工程（Ｄ−１）
工程（Ｄ−１）は、前記第２切除部分３８に第２排水ホース取付具６ｂを嵌め込んで、第２排水ホース取付具６ｂの本体部８を溝部材２の凹面２９に設置する工程である。
【００５９】
図１３に示すように、第２蓋部３ｂ及び第３蓋部３ｃを上方へ捲り、第２切除部分３８を大きく拡張する。
次に、第２排水ホース取付具６ｂの第１延出部８１を溝部材２の長手方向一方側に向け、且つ同第２延出部８２を溝部材２の長手方向他方側に向ける。
そして、第２排水ホース取付具６ｂの接続部７が第２切除部分３８から突出するように位置合わせすると共に、第１段部８５が第２蓋部３ｂの他方の切除端面３２ｂに接し且つ第２段部８６が第３蓋部３ｃの切除端面３１ｃに接するように位置合わせした状態で、溝部材２の側方から第２排水ホース取付具６ｂを入れ、舌状片部８３を溝部材２の嵌入用溝２５に嵌入することにより、第２排水ホース取付具６ｂの本体部８を溝部材２の凹面２９に載せる。
【００６０】
このとき、第２排水ホース取付具６ｂの長手方向一方側端を、第１排水ホース取付具６ａの第２延出部８２の切除端面８２ａに当接させる。このように当接することにより、第１及び第２排水ホース取付具６ａ，６ｂの端面が接合して、第１排水ホース取付具６ａの第２通水部４２と第２排水ホース取付具６ｂの第１通水部４１とを連通させることができる。さらに、第１及び第２排水ホース取付具６ａ，６ｂの端面を接合し、両者を隙間なく並べることにより、排水ホース取付具全体の設置長さを短くできる。
もっとも、第１排水ホース取付具６ａの第２延出部８２の切除端面８２ａと第２排水ホース取付具６ｂの第１延出部８１の長手方向一方側端とは、必ずしも当接させる必要はない。両者に隙間が生じても第２蓋部３ｂを被せることによって、該隙間から排水が外部に漏れることはないからである。
【００６１】
なお、工程（Ｃ−１）及び工程（Ｄ−１）は、何れを先に実施しても良いし、両工程は、同時並行的に実施してもよい。
【００６２】
・工程（Ｅ−１）
工程（Ｅ−１）は、第１蓋部３ａ、第２蓋部３ｂ及び第３蓋部３ｃを、第１排水ホース取付具６ａ及び第２排水ホース取付具６ｂの第１延出部８１及び第２延出部８２の上に被せ、排水ホース取付具６を固定する工程である。
第１及び第２排水ホース取付具６ａ，６ｂを溝部材２の凹面２９に設置した後、第１蓋部３ａを第１排水ホース取付具６ａの第１延出部８１の被覆領域８１６の上面に被せる。同様に、第２蓋部３ｂを、第１排水ホース取付具６ａの第２延出部８２の被覆領域８２６及び第２排水ホース取付具６ｂの第１延出部８１の被覆領域８１６の上面に被せる。同様に、第３蓋部３ｃを、第２排水ホース取付具６ｂの第２延出部８２の被覆領域８２６の上面に被せる。
蓋部材３が弾性材料から形成されている場合には、第１蓋部３ａ、第２蓋部３ｂ及び第３蓋部３ｃの止めを解除するだけで、それらは元の形状に弾性復帰し、溝部材２の上方へと戻る。
【００６３】
被せられた第１蓋部３ａの切除端面３１ａは、第１排水ホース取付具６ａの第１段部８５に接し、且つ第２蓋部３ｂの一方の切除端面３１ｂは、第１排水ホース取付具６ａの第２段部８６に接する。従って、第１排水ホース取付具６ａは、溝部材２の長手方向に位置ズレすることがない。
【００６４】
同様に、被せられた第２蓋部３ｂの他方の切除端面３２ｂは、第２排水ホース取付具６ｂの第１段部８５に接し、且つ第３蓋部３ｃの切除端面３１ｃは、第２排水ホース取付具６ｂの第２段部８６に接する。従って、第２排水ホース取付具６ｂは、溝部材２の長手方向に位置ズレすることがない。
【００６５】
そして、第１蓋部３ａ、第２蓋部３ｂ及び第３蓋部３ｃの側端３３を、それぞれ溝部材２の嵌入用溝２５に嵌入して、該第１蓋部３ａ、第２蓋部３ｂ及び第３蓋部３ｃを溝部材２に固定する。このように第１蓋部３ａ、第２蓋部３ｂ及び第３蓋部３ｃ（蓋部材３）を、排水ホース取付具６の第１延出部８１及び第２延出部８２の上面に被せることにより、その自重により押さえ付けられた排水ホース取付具６は、浮き上がることなく溝部材２の所定位置に固定される。蓋部材３が弾性材料から形成されている場合には、元の形状に弾性復帰しようとする復元力によって、排水ホース取付具６を溝部材２に更に強固に固定できる。
【００６６】
また、第１排水ホース取付具６ａの第２延出部８２及び第２排水ホース取付具６ｂの第１延出部８１の上面に、第２蓋部３ｂを被せることにより、第１排水ホース取付具６ａと第２排水ホース取付具６ｂの接合部分が第２蓋部３ｂによって覆われる。このため、第１排水ホース取付具６ａと第２排水ホース取付具６ｂの接合部分から（第１排水ホース取付具６ａの第２延出部８２の切除端面８２ａと第２排水ホース取付具６ｂの長手方向一方側端の間から）、水が滲み出す虞はない。また、前記接合部分から粉塵などが入り込む虞もない。
【００６７】
なお、工程（Ｅ−１）は、工程（Ｃ−１）及び／又は工程（Ｄ−１）と同時に実施してもよい。
【００６８】
最後に、第１排水ホース取付具６ａの接続部７に第１排水ホース９５を挿入し、第２排水ホース取付具６ｂの接続部７に第２排水ホース９７を挿入することにより、図２及び図９に示すような、排水処理構造１を構築できる。
【００６９】
本発明の排水処理構造１は、第１排水ホース９５及び第２排水ホース９７から出る水を、第１排水ホース取付具６ａ及び第２排水ホース取付具６ｂを介して溝部材２の長手方向一方側へ流し、雨樋などの排水路９３へ水を導くことができる。
すなわち、第１排水ホース９５から出る水は、第１排水ホース取付具６ａの第１通水部４１を通じて、溝部材２の長手方向一方側へ流れる。第２排水ホース９７から出る水は、第２排水ホース取付具６ｂの第１通水部４１から第１排水ホース取付具６ａの第２通水部４２及び第１通水部４１を通じて、溝部材２の長手方向一方側へ流れる。第２排水ホース取付具６ｂの第２通水部４２の長手方向他方側には、封止突出壁８２３を有するので、水が溝部材２の長手方向他方側へ流れ出ることを防止できる。
【００７０】
本発明の排水ホース取付具は、溝部材２に設置するだけで、排水ホースから出る水を、溝部材２の長手方向一方側へと確実に導き、該水の逆流を防止できる。
【００７１】
また、排水ホース取付具６の接続部７は、傾斜状に設けられているので、図９に示すように、挿入した排水ホース９５の先端の一部分のみが溝部材２の凹面２９に接する。このため、排水ホース９５の下端開口部が溝部材２の凹面２９によって塞がれることもない。
【００７２】
本発明の排水ホース取付具６は、接着剤による接着や熱溶着などの煩雑で且つ再利用不可能な手段を用いずに、排水処理部材５に取付けることができる。従って、排水ホース取付具６を排水処理部材５に簡易に取付けることができ、さらに、一旦取付けた排水ホース取付具６が破損し、交換する必要性が生じた場合であっても、これを容易に交換することができる。
【００７３】
さらに、本発明の排水ホース取付具６は、溝部材２の凹面２９に載せ且つ第１延出部８１及び第２延出部８２の上に蓋部材３を被せることにより取付けられるので、蓋部材３を溝部材２から外すときに、排水ホース取付具６が蓋部材３と共に外れることがなく、蓋部材３のみを容易に外すことができる。このため、蓋部材３のみを外し、溝部材２の凹部上方部を開放し、溝部材２の清掃を行うことができる。
【００７４】
（第１実施形態の排水ホース取付具の変形例について）
上記排水ホース取付具６は、本体部８に舌状片部８３が形成されているが、該舌状片部８３が形成されていなくてもよい。本発明の排水ホース取付具６は、蓋部材３が被さる第１延出部８１及び第２延出部８２を有するので、溝部材２の所定位置に取り付けることができるからである。
【００７５】
（第１実施形態の排水ホース取付具の取付方法の変形例）
上記第１実施形態の工程（Ｃ−１）においては、第１蓋部３ａ及び第２蓋部３ｂを上方へ捲って第１切除部分３７を大きく拡張した後、第１排水ホース取付具６ａを溝部材２に設置しているが、例えば、これを下記のように変形することもできる。
【００７６】
・工程（Ｃ−１）の変形例
第１切除部分３７を形成した後、第１蓋部３ａの側端３３を、溝部材２の嵌入用溝２５に嵌入し、第１蓋部３ａを溝部材２に固定する。他方、第２蓋部３ｂは上方へ捲り上げておく。
次に、第１排水ホース取付具６ａの本体部８を、溝部材２の凹面２９に載せると共に、第１排水ホース取付具６ａの舌状片部８３を、溝部材２の嵌入用溝２５に嵌入する。次に、該第１排水ホース取付具６ａを、前記第１蓋部３ａの切除端面３１ａ側へ、溝部材２の凹面２９上をスライド移動させる。第１排水ホース取付具６ａの第１段部８５が第１蓋部３ａの切除端面３１ａに当たるまで、第１排水ホース取付具６ａをスライド移動させることにより、該第１排水ホース取付具６ａを第１切除部分３７に位置させることができる。その後、第２排水ホース取付具６ｂを第２切除部分３８に設置し、両者の接合部分の上に第２蓋部３ｂを被せ、事後、上記実施形態と同様に実施すればよい。
【００７７】
また、上記第１実施形態の工程（Ｄ−１）においては、第２蓋部３ｂ及び第３蓋部３ｃを上方へ捲って第２切除部分３８を大きく拡張した後、第２排水ホース取付具６ｂを溝部材２に設置しているが、例えば、これを下記のように変形することもできる。
【００７８】
・工程（Ｄ−１）の変形例
この工程（Ｄ−１）の変形例は、通常、工程（Ｃ−１）の前に実施される。
上記工程（Ｂ−１）において第２切除部分３８を形成した後、第３蓋部３ｃの側端３３を、溝部材２の嵌入用溝２５に嵌入し、第３蓋部３ｃを溝部材２に固定する。他方、第２蓋部３ｂは上方へ捲り上げておく。
【００７９】
次に、第２排水ホース取付具６ｂの本体部８を、溝部材２の凹面２９に載せると共に、第２排水ホース取付具６ｂの舌状片部８３を、溝部材２の嵌入用溝２５に嵌入する。次に、該第２排水ホース取付具６ｂを、前記第３蓋部３ｃの切除端面３１ｃ側へ、溝部材２の凹面２９上をスライド移動させる。第２排水ホース取付具６ｂの第２段部８６が第３蓋部３ｃの切除端面３１ｃに当たるまで、第２排水ホース取付具６ｂをスライド移動させることにより、該第２排水ホース取付具６ｂを第２切除部分３８に位置させることができる。その後、第１排水ホース取付具６ａを第１切除部分３７に設置し、両者の接合部分の上に第２蓋部３ｂを被せ、事後、上記実施形態と同様に実施すればよい。
ことができる。
【００８０】
なお、上記取付方法は、排水ホース取付具６を２個設置する場合について説明したが、排水ホース取付具６を１個設置する場合も、この取付方法によって実施できる。排水ホース取付具６を１個設置する場合には、溝部材２の一箇所に切除部分を形成し、その切除部分に上記排水ホース取付具６（封止突出壁８２が除去されていない排水ホース取付具６）を、上記取付方法と同様にして設置すればよい。
【００８１】
＜第２実施形態＞
第２実施形態は、２個の排水ホース取付具を１つの排水処理部材に取り付けるときに、第１排水ホース取付具に第２排水ホース取付具を挿入して連結できる態様に関する。
第２実施形態を説明するにあたっては、上記第１実施形態と同様の構成及び効果については説明を省略し、且つ、用語及び符号をそのまま援用する場合がある。
【００８２】
図１４〜図１７は、本実施形態の排水ホース取付具６を示す。本実施形態の排水ホース取付具６は、上記実施形態と同様に、貫通孔８７を基準にして、溝部材２の長手方向一方側に向かって延び且つ上面に蓋部材３が被せられる第１延出部８１と、溝部材２の他方側に向かって延び且つ上面に蓋部材３が被せられる第２延出部８２と、を有し、第１延出部８１及び第２延出部８２の上面には、第１段部８５及び第２段部８６が形成されている。
第１段部８５を境界として、第１延出部８１の上面は、接続部７が突設された突設領域８１５と、蓋部材３が被せられる被覆領域８１６と、に区画されている。この第１延出部８１の下面には、第１延出部８１の長手方向一方側端から前記貫通孔８７に連通された第１通水部４１が形成されている。
【００８３】
第２延出部８２の上面は、第２段部８６を境界として、接続部７が突設された突設領域８２５と、蓋部材３が被せられる被覆領域８２６と、に区画されている。
第２延出部８２のうち突設領域８２５の下面に、第２通水部４２が形成されている。
この第２通水部４２は、第２段部８６に対応する位置から貫通孔８７に連通されている。
【００８４】
第２延出部８２の下面のうち、第２段部８６に対応する位置には、幅方向に延びる封止突出壁８２３が下方に突設されている。この封止突出壁８２３の下面は、溝部材２の凹面２９に面接触しうる形状に形成されている。第２延出部８２の被覆領域８２６の下面は、前記封止突出壁３２３の下面に連続し、溝部材２の凹面２９に面接触しうる形状に形成されている。
【００８５】
さらに、第２延出部８２の突設領域８２５の下面には、第２延出部８２の幅方向両側部において、長手方向に延びる一対の第２長状突出壁８２１，８２１が下方に突設されている。この一対の第２長状突出壁８２１，８２１は、第２段部８６に対応する位置から貫通孔８７の側端にまで形成されている。該第２長状突出壁８２１の下面も、溝部材２の凹面２９に面接触しうる形状に形成されている。
本実施形態の第２通水部４２は、一対の第２長状突出壁８２１，８２１及び封止突出壁８２３の内側と第１延出部８１の突設領域８２５の下面とで区画された凹状部分からなる。
【００８６】
本実施形態の第１延出部８１の高さＨ１は、前記第２通水部４２（第２長状突出壁８２１）の高さＨ２以下とされている。好ましくは、第１延出部８１の高さＨ１と前記第２通水部４２の高さＨ２は、略同じに形成される。
【００８７】
さらに、本実施形態の排水ホース取付具６の第２延出部８２にも、薄肉部が設けられているが、その形成位置が、上記第１実施形態と異なる。
具体的には、第２延出部８２の突設領域８２５の上面には、第１薄肉部８２７が形成されている。この第１薄肉部８２７は、封止突出壁８２３の内面に対応した位置において、第２延出部８２の幅方向に延設されている。
【００８８】
また、第２延出部８２の突設領域８２５の両側面には、第２薄肉部８２８，８２８がそれぞれ形成されている。この第２薄肉部８２８，８２８は、第２段部８６と被覆領域８２６の境界部から貫通孔８７の側端まで、長手方向に延設されている。
さらに、第２延出部８２の一対の第２長状突出壁８２１，８２１の下面には、第３薄肉部８２９，８２９がそれぞれ形成されている。この第１薄肉部８２７は、第２薄肉部８２８の端部に対応した位置において、第２延出部８２の幅方向に延設されている。
第１〜第３薄肉部８２７，８２８，８２９は、例えば、第２延出部８２の厚み方向に略Ｖ字状に切込まれた切込み線からなる。
【００８９】
第１〜第３薄肉部８２７，８２８，８２９を利用すれば、第２延出部８２を容易に分断することができる。
第１薄肉部８２７にて第２延出部８２を分断すると、封止突出壁８２３及び被覆領域８２６が排水ホース取付具６から除去される。該封止突出壁８２３が除去された後の第２延出部８２の長手方向他方側端（切除端面）には、第２通水部４２が開口される。
さらに、第２及び第３薄肉部８２８，８２９にて第２延出部８２を分断すると、一対の第２長状突出壁８２１，８２１の一部分（切除端面から貫通孔８７の側端までの部分）が排水ホース取付具６から除去される。
これらを除去した後の排水ホース取付具６は、図１８に示すように、第２通水部４２が開口していると共に、突設領域８２５の下面８２５ａが平坦状となる。
【００９０】
本実施形態の排水ホース取付具６は、上記第１実施形態と同様に、蓋部材３の一部分に形成された切除部分に嵌め込むことにより、排水処理部材５に取付けられる。
本実施形態においても、上記第１実施形態と同様に、１つの排水処理部材５に対して２個又はそれ以上（複数個）の排水ホース取付具６を取り付けることもできる。或いは、１つの排水処理部材５に対して排水ホース取付具６を１個取り付けることもできる。
図１９は、１つの排水処理部材５に対して、本実施形態の排水ホース取付具６が２個取り付けられた排水処理構造１を示す。
本実施形態において、第１排水ホース取付具６ａと第２排水ホース取付具６ｂは、隣接する端部を接触させた状態で取り付けられている。
【００９１】
（第２実施形態の排水ホース取付具を２個設置する取付方法について）
以下、本実施形態の排水ホース取付具６を、１つの排水処理部材５に２個設置する場合を具体的に説明する。ただし、３個以上の排水ホース取付具６を１つの排水処理部材５に設置する場合も、２個取り付ける場合と同様にして実施できるので、その説明は省略する。また、１個の排水ホース取付具６を１つの排水処理部材５に設置する場合についても、２個取付ける取付方法に準じて実施できるので、その説明は省略する。
【００９２】
・工程（Ａ−２）
工程（Ａ−２）は、排水ホース取付具６の第２延出部８２の一部分を切除して、その切除端面から第２通水部４２を開口させる工程である。
第１排水ホース取付具６ａの第２延出部８２を、第２通水部４２の長手方向他方側が開口するように分断する。上述の通り、第２延出部８２に形成された第１〜第３薄肉部８２７，８２８，８２９を利用すれば、第２延出部８２を容易に分断できる。分断された第１排水ホース取付具６ａは、図１８に示すように、切除端面から第２通水部４２が開放される。
【００９３】
・工程（Ｂ−２）
工程（Ｂ−２）は、第１排水ホース取付具６ａ及び第２排水ホース６ｂを設置するため、蓋部材３の長手方向中途部に、１つの切除部分を形成する工程である。
２個の排水ホース取付具６を設置する箇所を決め、カッターなどの切断具を用いて、蓋部材３の１箇所切除して、切除部分３９を形成する（図２０参照）。この切除部分３９の縦長さＬ５は、第１排水ホース取付具６ａの第１段部８５から第２段部８６までの縦長さと第２排水ホース取付具６ｂの第１段部８５から第２段部８６までの縦長さの合計長さと略同じに形成することが好ましいが、それよりも少し大きくなるように形成してもよい。
切除された蓋部材３は、切除部分３９を基準にして、第１蓋部３ａ及び第２蓋部３ｂに分割される。
【００９４】
なお、工程（Ａ−２）及び工程（Ｂ−２）は、何れを先に実施しても良いし、両工程は、同時並行的に実施してもよい。
【００９５】
・工程（Ｃ−２）
工程（Ｃ−２）は、前記切除部分３９に第１排水ホース取付具６ａを嵌め込んで、第１排水ホース取付具６ａの本体部８を溝部材２の凹面２９に設置する工程である。
【００９６】
図２１に示すように、第１蓋部３ａを上方へ捲り、切除部分３９を大きく拡張する。
次に、第１排水ホース取付具６ａの第１延出部８１を溝部材２の長手方向一方側に向け、且つ同第２延出部８２を溝部材２の長手方向他方側に向ける。
そして、第１排水ホース取付具６ａの接続部７が切除部分３９から突出するように位置合わせすると共に、第１段部８５が第１蓋部３ａの切除端面３１ａに接するように位置合わせした状態で、溝部材２の側方から第１排水ホース取付具６ａを入れ、舌状片部８３を溝部材２の嵌入用溝２５に嵌入することにより、第１排水ホース取付具６ａの本体部８を溝部材２の凹面２９に載せる。
【００９７】
・工程（Ｄ−２）
工程（Ｄ−２）は、前記切除部分３９に第２排水ホース取付具６ｂを嵌め込んで、第２排水ホース取付具６ｂの本体部８を溝部材２の凹面２９に設置する工程である。
【００９８】
第２排水ホース取付具６ｂの第１延出部８１を溝部材２の長手方向一方側に向け、且つ同第２延出部８２を溝部材２の長手方向他方側に向ける。
図２２に示すように、第２排水ホース取付具６ｂの接続部７が切除部分３９から突出するように位置合わせすると共に、上記第１排水ホース取付具６ａの切除端面８２ａから開口された第２通水部４２内に第２排水ホース取付具６ｂの第１延出部８１を挿入し、且つ第２排水ホース取付具６ｂの第２延出部８２の第２段部８６が第２蓋部３ｂの切除端面３１ｂに接するように位置合わせした状態で、溝部材２の側方から第２排水ホース取付具６ｂを入れ、舌状片部８３を溝部材２の嵌入用溝２５に嵌入することにより、第２排水ホース取付具６ｂの本体部８を溝部材２の凹面２９に載せる。
【００９９】
排水ホース取付具６の第１延出部８１の高さは、第２通水部４２の高さ以下に形成されているので、上記第２排水ホース取付具６ｂの第１延出部８１を、第１排水ホース取付具６ａの切除端面８２ａから第２通水部４２内へと挿入することができる。
このように挿入されることにより、第１排水ホース取付具６ａと第２排水ホース取付具６ｂを、水密的に接合することができる。特に、第１排水ホース取付具６ａの切除端面８２ａと第２排水ホース取付具６ｂの第１段部８５が当接するので、両者の接合部分から水が滲み出したり、或いは接合部分から粉塵などが入り込む虞もない。
さらに、第１排水ホース取付具６ａの突設領域８２５と第２排水ホース取付具６ｂの突設領域８１５が連なって平坦状（面一状）となるので、ゴミなどが溜まることも防止できる。尚、第１排水ホース取付具６ａの切除端面８２ａと第２排水ホース取付具６ｂの第１段部８５は、当接させることが好ましいが、両者間は若干離れていてもよい。両者の間に多少の隙間があっても、第２排水ホース取付具６ｂの第１延出部８１が第１排水ホース取付具６ａの第２通水部４２内に挿入されているので、水漏れやゴミの進入を防止できる。
【０１００】
なお、工程（Ｃ−２）及び工程（Ｄ−２）は、何れを先に実施しても良いし、両工程は、同時並行的に実施してもよい。
【０１０１】
・工程（Ｅ−２）
工程（Ｅ−２）は、第１蓋部３ａ及び第２蓋部３ｂを、第１排水ホース取付具６ａの第１延出部８１及び第２排水ホース取付具６ｂの第２延出部８２の上に被せ、排水ホース取付具６を固定する工程である。
第１及び第２排水ホース取付具６ａ，６ｂを溝部材２の凹面２９に設置した後、第１蓋部３ａを第１排水ホース取付具６ａの第１延出部８１の被覆領域８１６の上面に被せる。同様に、第２蓋部３ｂを、第２排水ホース取付具６ｂの第２延出部８２の被覆領域８２６の上面に被せる。
【０１０２】
被せられた第１蓋部３ａの切除端面３１ａは、第１排水ホース取付具６ａの第１段部８５に接し、且つ第２蓋部３ｂの切除端面３１ｂは、第２排水ホース取付具６ｂの第２段部８６に接する。従って、接合された第１排水ホース取付具６ａ及び第２排水ホース取付具６ｂは、溝部材２の長手方向に位置ズレすることがない。また、蓋部材３が弾性材料から形成されている場合には、第１及び第２排水ホース取付具６ａ，６ｂに対して長手方向の外力が加わったときに、蓋部材３の弾性により、該排水ホース取付具６ａ，６ｂの位置ズレを更に効果的に防止できる。
【０１０３】
そして、第１蓋部３ａ及び第２蓋部３ｂの側端３３を、それぞれ溝部材２の嵌入用溝２５に嵌入して、該第１蓋部３ａ及び第２蓋部３ｂを溝部材２に固定する。
【０１０４】
なお、工程（Ｅ−２）は、工程（Ｃ−２）及び／又は工程（Ｄ−２）と同時に実施してもよい。
【０１０５】
最後に、第１排水ホース取付具６ａの接続部７に第１排水ホース９５を挿入し、第２排水ホース取付具６ｂの接続部７に第２排水ホース９７を挿入することにより、図１９及び図２２に示すような、排水処理構造１を構築できる。
【０１０６】
本実施形態の排水処理構造１も、上記第１実施形態と同様に、第１排水ホース９５及び第２排水ホース９７から出る水を、第１排水ホース取付具６ａ及び第２排水ホース取付具６ｂを介して溝部材２の長手方向一方側へ流し、雨樋などの排水路へ水を導くことができる。
【０１０７】
（第２実施形態の排水ホース取付具の取付方法の変形例）
上記第２実施形態の工程（Ｃ−２）においては、第１蓋部３ａを上方へ捲って切除部分３９を大きく拡張した後、第１排水ホース取付具６ａを溝部材２に設置しているが、この方法に代えて、上記第１実施形態の工程（Ｃ−１）の変形例に準じて、第１排水ホース取付具６ａを溝部材２の凹面２９上をスライド移動させてもよい。
また、上記工程（Ｄ−２）が、工程（Ｃ−２）よりも先に実施される場合には、該工程（Ｄ−２）は、上記第１実施形態の工程（Ｄ−１）の変形例に準じて、第２排水ホース取付具６ｂを溝部材２の凹面２９上をスライド移動させてもよい。
【０１０８】
＜第３実施形態＞
第３実施形態は、溝部材と蓋部材が分離可能な別体で構成されており、排水ホース取付具に２つの舌状片部が形成されている態様に関する。
第３実施形態を説明するにあたっては、上記第１実施形態と同様の構成及び効果については説明を省略し、且つ、用語及び符号をそのまま援用する場合がある。
【０１０９】
上記第１及び第２実施形態の排水処理部材５は、蓋部材３の一方の側端３２が溝部材２の一方の側壁２２に連結され、且つ蓋部材３の他方の側端３３が溝部材２の他方の側壁３３に形成された嵌入用溝２５に嵌入されているが、本実施形態の排水処理部材５は、図２３に示すように、蓋部材３の両方の側端３２，３３が、溝部材２の両方の側壁２２，２３にそれぞれ形成された嵌入用溝２５，２６に嵌入されている。
この排水処理部材５に上記排水ホース取付具６が取付けられる。
【０１１０】
具体的には、本実施形態の排水処理部材５は、溝部材２と蓋部材３が完全分離可能な別体で形成されている。
溝部材２の両側壁２２，２３の上端部内側には、嵌入用溝２５，２６が形成されている。該嵌入用溝２５，２６は、側壁２２，２３の内面に対して略直交する方向へ凹んだ溝であり、溝部材２の長手方向全体に亘って形成されている。
【０１１１】
蓋部材３は、長尺の帯板状に形成されている。蓋部材３の幅方向長さは、溝部材２の側壁２２，２３の内面間の長さより大きく、且つ、溝部材２の嵌入用溝２５，２６間の長さよりも少し短く形成されている。
従って、蓋部材３の両側端３２，３３を溝部材２の嵌入用溝２５，２６に嵌入し、帯板状の蓋部材３を溝部材２の長手方向にスライドさせることにより、蓋部材３を溝部材２に着脱することができる。
【０１１２】
本実施形態の排水ホース取付具６は、図２４に示すように、本体部８の両側端に舌状片部８３，８９がそれぞれ形成されていること以外は、上記第１実施形態（又は第２実施形態）と同様である。
前記舌状片部８３は、本実施形態の溝部材２の一方の嵌入用溝２５に嵌入脱可能であり、前記舌状片部８９は、本実施形態の溝部材２の他方の嵌入用溝２６に嵌入脱可能である。
【０１１３】
本実施形態の排水ホース取付具６は、溝部材２の凹面２９に設置するときに、舌状片部８３を溝部材２の嵌入用溝２５に嵌入し、且つ舌状片部８９を溝部材２の嵌入用溝２６に嵌入する。このように舌状片部８９を溝部材２の嵌入用溝２６に嵌入するという作業が加わることを除いて、本実施形態の排水ホース取付具６は、上記第１及び第２実施形態の取付方法と同様にして取り付けることができる。
【０１１４】
なお、本実施形態の排水ホース取付具６は、両側端に舌状片部８３，８９がそれぞれ形成されているため、両方の側壁２２，２３に嵌入用溝２５，２６がそれぞれ形成された溝部材２に好適に取り付けることができる。
もっとも、上記第１及び第２実施形態のように、舌状片部８３が一方だけ形成されている排水ホース取付具６又は舌状片部が形成されていない排水ホース取付具６を、嵌入用溝２５，２６がそれぞれ形成された溝部材２に取り付けることもできる。
【図面の簡単な説明】
【０１１５】
【図１】本発明の第１実施形態の排水処理構造を示す参考斜視図。
【図２】図１の要部拡大参考斜視図。
【図３】図２のＩ−Ｉ線断面図。
【図４】蓋部材を捲り上げた状態を示す参考断面図。
【図５】第１実施形態の排水ホース取付具を示す平面図。
【図６】図５のＩＩ−ＩＩ線断面図。
【図７】同底面図。
【図８】同排水ホース取付具を底面側から見た斜視図。
【図９】図２のＩＩＩ−ＩＩＩ線断面図。
【図１０】図２のＩＶ−ＩＶ線断面図。
【図１１】第１実施形態の取付方法において、蓋部材を切除する工程を示す参考平面図。
【図１２】同取付方法において、第１排水ホース取付具を溝部材に設置する工程を示す参考平面図。
【図１３】同取付方法において、第２排水ホース取付具を溝部材に設置する工程を示す参考平面図。
【図１４】第２実施形態の排水ホース取付具を示す底面図。
【図１５】同側面図。
【図１６】図１４のＶ−Ｖ線断面図。
【図１７】図１５のＶＩ−ＶＩ線断面図。
【図１８】同排水ホース取付具の第２延出部の一部分を除去した状態を示す底面図。
【図１９】第２実施形態の排水処理構造を示す要部拡大参考斜視図。
【図２０】第２実施形態の取付方法において、蓋部材を切除する工程を示す参考平面図。
【図２１】第２実施形態の取付方法において、第１排水ホース取付具を溝部材に設置する工程を示す参考平面図。
【図２２】図１９のＶＩＩ−ＶＩＩ線断面図。
【図２３】第３実施形態の排水処理部材を示す断面図。
【図２４】２つの舌状片部が形成された排水ホース取付具を示す平面図。
【符号の説明】
【０１１６】
１…排水処理構造、２…溝部材、２１…溝部材の底壁、２２，２３…溝部材の側壁、２５，２６…溝部材の嵌入用溝、２９…溝部材の凹面、３…蓋部材、３ａ…第１蓋部、３ｂ…第２蓋部、３ｃ…第３蓋部、３１ａ…第１蓋部の端面（切除端面）、３１ｂ，３２ｂ…第２蓋部の端面（切除端面）、３１ｃ…第３蓋部の端面（切除端面）、３２，３３…蓋部材の側端、３７…第１切除部分、３８…第２切除部分、４１…第１通水部、４２…第２通水部、５…排水処理部材、６…排水ホース取付具、６ａ…第１排水ホース取付具、６ｂ…第２排水ホース取付具、７…接続部、８…本体部、８１…第１延出部、８２…第２延出部、８３…舌状片部、８５…第１段部、８６…第２段部、８７…貫通孔、９１…床面（施工面）、９５…第１排水ホース、９７…第２排水ホース
【図１】
0005116157.tif 000002
【図２】
0005116157.tif 000003
【図３】
0005116157.tif 000004
【図４】
0005116157.tif 000005
【図５】
0005116157.tif 000006
【図６】
0005116157.tif 000007
【図７】
0005116157.tif 000008
【図８】
0005116157.tif 000009
【図９】
0005116157.tif 000010
【図１０】
0005116157.tif 000011
【図１１】
0005116157.tif 000012
【図１２】
0005116157.tif 000013
【図１３】
0005116157.tif 000014
【図１４】
0005116157.tif 000015
【図１５】
0005116157.tif 000016
【図１６】
0005116157.tif 000017
【図１７】
0005116157.tif 000018
【図１８】
0005116157.tif 000019
【図１９】
0005116157.tif 000020
【図２０】
0005116157.tif 000021
【図２１】
0005116157.tif 000022
【図２２】
0005116157.tif 000023
【図２３】
0005116157.tif 000024
【図２４】
0005116157.tif 000025